(57)【特許請求の範囲】
【請求項１】
建物の外壁に取り付けられる装飾部材本体にフック部材を設け、前記フック部材を前記装飾部材本体の表面側に突出するように倒して被掛着物品を掛着する状態と、前記装飾部材本体の表面に沿うように起こして前記装飾部材本体の表面の一部を構成する状態との間で起倒自在に形成すると共に、前記装飾部材本体の表面側に突出するように倒した状態で前記フック部材の上面に突出し、前記被掛着物品を引っ掛け係止可能に形成された係止部を前記フック部材に設け、前記装飾部材本体の表面に係止凹部を設け、前記フック部材を前記装飾部材本体の表面に沿うように起こした状態で前記係止部を前記装飾部材本体の前記係止凹部に弾性的に係止自在に形成して成ることを特徴とする外壁装飾部材。
【請求項２】
前記装飾部材本体の表面に凹凸模様が形成されていると共に、前記フック部材が前記凹凸模様に対応する形状及び外観に形成されていることを特徴とする請求項１に記載の外壁装飾部材。
【請求項３】
窓の上縁部に沿って外壁に取り付けられる開口飾り部材であることを特徴とする請求項１又は２に記載の外壁装飾部材。
【発明の詳細な説明】
【技術分野】
【０００１】
本発明は、ネットや簾などの被掛着物品を掛着可能なフック機能付きの外壁装飾部材に関するものである。
【背景技術】
【０００２】
従来より、建物の窓などの開口部に日除けとして簾やオーニングを取り付ける場合、開口部周辺の外壁はほぼ平面であって物を掛ける機能がないため、別途、金具をフック部材として後付で外壁に取り付けるようにしている（例えば、特許文献１参照）。しかし、開口部周辺の外壁の表面形状によっては、フック部材を取り付けできない場合があり、また、女性や高齢者などではフック部材の取り付けが難しいという問題があった。また、外壁に蔓系植物育成用に棚を設置する場合もあるが、狭小地では棚を設置するスペースが無く、しかも棚は大掛りで未使用時には邪魔になり、且つ外壁の外観も低下するおそれがあった。
【特許文献１】特開２００５−４６５８６号公報
【発明の開示】
【発明が解決しようとする課題】
【０００３】
本発明は上記の点に鑑みてなされたものであり、後付で金具を取り付けることなく物を掛着することができ、外壁の外観を損なわないようにすることができる外壁装飾部材を提供することを目的とするものである。
【課題を解決するための手段】
【０００４】
本発明の請求項１に係る外壁装飾部材Ａは、建物の外壁５に取り付けられる装飾部材本体１にフック部材２を設け、前記フック部材２を前記装飾部材本体１の表面側に突出するように倒して被掛着物品３を掛着する状態と、前記装飾部材本体１の表面に沿うように起こして前記装飾部材本体１の表面の一部を構成する状態との間で起倒自在に形成すると共に、前記装飾部材本体１の表面側に突出するように倒した状態で前記フック部材２の上面に突出し、前記被掛着物品３を引っ掛け係止可能に形成された係止部４を前記フック部材２に設け、前記装飾部材本体１の表面に係止凹部２２を設け、前記フック部材２を前記装飾部材本体１の表面に沿うように起こした状態で前記係止部４を前記装飾部材本体１の前記係止凹部２２に弾性的に係止自在に形成して成ることを特徴とするものである。
【０００５】
本発明の請求項２に係る外壁装飾部材Ａは、請求項１において、前記装飾部材本体１の表面に凹凸模様が形成されていると共に、前記フック部材２が前記凹凸模様に対応する形状及び外観に形成されていることを特徴とするものである。
本発明の請求項３に係る外壁装飾部材Ａは、請求項１又は２において、窓の上縁部に沿って外壁５に取り付けられる開口飾り部材１１であることを特徴とするものである。
【発明の効果】
【０００６】
請求項１の発明では、装飾部材本体１の表面側に突出するようにフック部材２を倒して被掛着物品３を掛着することができ、後付で金具を取り付けることなく物を掛着することができるものである。また、被掛着物品３を掛着しない場合はフック部材２を装飾部材本体１の表面に沿うように起こして装飾部材本体１の表面の一部をフック部材２で構成するため、フック部材２の不使用時には装飾部材本体１とフック部材２が一体的な外観となってフック部材２を目立たないようにすることができ、外壁の外観を損なわないようにすることができるものである。
【０００７】
請求項１の発明では、フック部材２の使用時には係止部４に被掛着物品３を掛着することができると共に、フック部材２の不使用時にはフック部材２を倒れないように装飾部材本体１に保持するために係止部４を使用することができ、係止部４を兼用して部品点数を少なくすることができるものである。
請求項１の発明では、係止部４が係止凹部２２に弾性的に係止されているので、フック部材２が自重で下方に向かって回動しないように装飾部材本体１に保持することができるものである。
【発明を実施するための最良の形態】
【０００８】
以下、本発明を実施するための最良の形態を説明する。
【０００９】
図１（ａ）（ｂ）に本発明のフック機能付きの外壁装飾部材Ａの一例を示す。この外壁装飾部材Ａは窓などの開口部１０の上縁部に沿って外壁５に取り付けられる開口飾り部材１１として形成されている。外壁装飾部材Ａは装飾部材本体１とフック部材２とを備えて形成されている。装飾部材本体１とフック部材２は同じ材料で形成し、その表面の色や質感や外観は同等に形成されている。
【００１０】
装飾部材本体１とフック部材２を製造する材料は特に限定されるものではないが、無機粉粒体と、熱可塑性樹脂と、エラストマーとを配合した成形材料を加熱溶融して成形することによって製造するのが好ましい。このことにより、窯業系無機質建材の廃材やプラスチック製品の廃材を大量に再利用して、高い曲げ強度を維持しつつ衝撃強度に優れた外壁装飾部材Ａを作製することができるものである。
【００１１】
上記の無機粉粒体としては、無機質材料を粉砕したものを用いることができるものであり、例えば繊維セメント板など、窯業系無機質建材の廃材を粉砕したものを使用することができる。窯業系無機質建材の廃材は、製造段階から、建築物解体段階に至るまで発生し、累積発生量は大量となる。このような窯業系無機質建材の廃材を粉砕して原料として使用すれば、廃材の有効利用が可能になって、環境保護を有効に達成することができるものである。無機粉粒体は上記のような窯業系無機質建材の廃材を粉砕したものの他に、フライアッシュ、ペーパースラッジ灰、焼却灰、その溶融スラグなどの焼却灰を用いることもできる。これらの産業廃棄物にあっても、大量の有効再利用が可能になるものである。またこれらはもともと粉粒状であるため、粉砕を行なうことが不要であり、製造コストを低く抑えることができるものである。無機粉粒体の粒径は特に制限されるものではないが、平均粒径が０．０１〜７ｍｍの範囲のものを用いるのが好ましい。
【００１２】
また上記の熱可塑性樹脂としては、熱可塑性樹脂の成形品からなるプラスチック製品の廃材を用いることができるものである。プラスチック製品の廃材も窯業系無機質建材と同様に発生量は大量であるので、プラスチック製品を原料として使用すれば、廃材の有効利用が可能になるものである。プラスチック製品を構成する熱可塑性樹脂としては特に制限されるものではなく、ポリエチレン、ポリプロピレンなど任意のものを用いることができる。
【００１３】
そして、上記の無機粉粒体と熱可塑性樹脂とを配合し、混合・混練することによって成形材料を得ることができるが、更にエラストマーを配合して、成形材料を調製するものである。エラストマーとしては特に限定されるものではなく、オレフィン系エラストマー、スチレン系エラストマー等の適宜のものを用いることができる。成形材料中の無機粉粒体と熱可塑性樹脂とエラストマーの配合量は特に限定されるものではなく、各材料の特性をバランス良く発揮させるために適宜の割合で配合する。また、成形材料にはこれらの三成分の他に、必要に応じて着色剤等の微量成分を配合しても良いのはいうまでもない。
【００１４】
また、成形材料中に配合される熱可塑性樹脂及びエラストマーとしては、その一部又は全部として、エラストマーが添加された熱可塑性樹脂の成形品を用いることもでき、このときこのような成形品からなるプラスチック製品の廃材を用いることができる。このようなプラスチック製品も例えば自動車のバンパー等として広く用いられているため、その廃材も窯業系無機質建材と同様に発生量は大量であるので、プラスチック製品を原料として使用すれば、エラストマーの供給源としても廃材の有効利用が可能になるものである。
【００１５】
このように、無機粉粒体と熱可塑性樹脂とエラストマーを配合し、これを熱可塑性樹脂の溶融温度付近に加熱しながら強制的に混合・混練することによって、成形材料を得ることができるものであり、そしてこの溶融状態にある成形材料を型に充填してプレス成形し、冷却固化させた後に脱型することによって、装飾部材本体１とフック部材２を製造することができるものである。
【００１６】
このようにして製造される装飾部材本体１とフック部材２は、熱可塑性樹脂をバインダーとして無機粉粒体を結合させたものであり、無機粉粒体と熱可塑性樹脂が外壁装飾部材Ａ中の大部分を占めるので、無機粉粒体として窯業系無機質建材の廃材を用いる場合、また熱可塑性樹脂としてプラスチック製品の廃材を用いる場合、これらの廃材を大量に有効再利用することが可能になるものである。また熱可塑性樹脂をバインダーとしているために、高い曲げ強度を得ることができるものである。しかもエラストマーを配合しているために耐衝撃性を向上することができ、曲げ強度に加えて衝撃強度が高い外壁装飾部材Ａを得ることができるものである。
【００１７】
ここで、上記成形材料中の各成分の配合量は適宜調整されるものであるが、特に無機紛粒体の含有量が５０〜８５質量％の範囲となるようにすることが好ましい。このとき成形材料を無機紛粒体と、エラストマーが添加された熱可塑性樹脂のプラスチック製品とで調製する場合には、成形材料中のプラスチック製品の配合量が５０〜１５質量％の範囲となる。このように無機紛粒体の含有量を８５質量％以下とすると成形材料を溶融した場合の流動性が良好なものとなり、この成形材料を上記のように成形する際にショートの発生を抑制することができ、また曲げ強度や衝撃強度を更に向上することができると共に、比重を低減することもできるものである。また、特に前記含有量が６５質量％未満であれば、成形材料の流動性を更に良好なものとすることができ、複雑な形状を有するプラスチック製品を製造する場合であってもショート等の不良発生率を低減することができる。また、無機紛粒体の含有量を５０質量％以上とすることで、成形材料の粘着性を低減することができて成形材料を混練機等から型へ移す際の混練機等への付着が生じにくくなり作業性が向上するものであり、さらに線膨張率を低減することができて熱寸法安定性が向上するものである。
【００１８】
装飾部材本体１は横長に形成されるものであって、その表面には目地溝を介してレンガや石を積み上げた外観を表現するためや、その他、装飾部材本体１の表面に変化を与えて装飾するために、凹凸模様１９が形成されている。また、フック部材２は凹凸模様１９の一つの凸部あるいは凹部に対応する形状（縦長のブロックような形状）及び外観に形成されている。フック部材２は装飾部材本体１に一個又は二個以上の複数個設けることができる。
【００１９】
フック部材２はその下端を装飾部材本体１の下端に枢支部２１により枢着されており、フック部材２は装飾部材本体１の表面側において枢支部２１を中心として起倒自在（上下回動自在）に形成されている。つまり、フック部材２は下方に向かって回動することにより装飾部材本体１の表面側にほぼ水平に突出する状態と、上方に向かって回動することにより装飾部材本体１の表面に沿ってほぼ鉛直に配置される状態との間で起倒自在に形成されている。フック部材２が装飾部材本体１の表面に沿って起立した場合、フック部材２を取り付けた部分以外の装飾部材本体１の表面とフック部材２との外観がほぼ同じで、フック部材２が装飾部材本体１の表面の一部を構成するようになっている。
【００２０】
フック部材２を装飾部材本体１の表面側に突出するように倒した場合において、フック部材２の上面には係止部４が突設されている。係止部４は断面略倒Ｌ字状に形成されており、簾などの被掛着物品３が引っ掛け係止可能に形成されている。また、装飾部材本体１の表面には係止凹部２２が形成されている。この係止凹部２２は、フック部材２を装飾部材本体１の表面に沿うように起立させた場合に、フック部材２の係止部４が弾性的に係止する位置に形成されている。
【００２１】
そして、上記の外壁装飾部材Ａは次のようにして使用する。まず、被掛着物品３を掛着しない場合は、フック部材２を上方に向かって回動することにより装飾部材本体１の表面に沿ってほぼ鉛直に配置される状態とする。この場合、本発明の外壁装飾部材Ａはフック機能の無い通常の外壁装飾部材と同等の外観を呈するものである。また、係止部４が係止凹部２２に弾性的に係止されており、これにより、フック部材２が自重で下方に向かって回動しないように装飾部材本体１に保持している。
【００２２】
次に、被掛着物品３を掛着する場合は、フック部材２を引っ張ることにより係止凹部２２に対する係止部４の係止を解除すると共に、フック部材２を下方に向かって回動することにより装飾部材本体１の表面側にほぼ水平に突出するように倒す。この後、簾や蔓系植物育成用のネットなどの被掛着物品３の上端をフック部材２及び係止部４に係止することによって、被掛着物品３を吊り下げて掛着する。
【００２３】
このように本発明では、装飾部材本体１の表面側に突出するようにフック部材２を倒して被掛着物品３を掛着することができ、後付で金具を取り付けることなく物を掛着することができる。また、被掛着物品３を掛着しない場合はフック部材２を装飾部材本体１の表面に沿うように起こして装飾部材本体１の表面の一部をフック部材２で構成するため、フック部材２の不使用時には装飾部材本体１とフック部材２が一体的な外観となってフック部材２を目立たないようにすることができ、外壁の外観を損なわないようにすることができる。
【００２４】
図２（ａ）（ｂ）に他の実施の形態を示す。この外壁装飾部材Ａは掃き出し窓のような大きな開口部１０の上側開口縁部に沿って配設される開口飾り部材１１として形成されている。また、この外壁装飾部材Ａには被掛着物品３として蔓系植物育成用のネットが掛着されている。このネットにはプランタ２３などに植えられた植物２４の蔓が巻き付くためのものである。
【００２５】
図２に示す外壁装飾部材Ａの装飾部材本体１の表面には収納凹部２５が形成されている。この収納凹部２５の深さは装飾部材本体１の厚みの略半分であって、フック部材２の厚みとほぼ同等に形成されている。また、フック部材２の下端は収納凹部２５内において装飾部材本体１に枢支部２１により枢着されている。また、係止凹部２２は収納凹部２５の底面に形成されている。その他の構成は上記図１に示す外壁装飾部材Ａと同様に形成される。
【００２６】
この外壁装飾部材Ａは被掛着物品３を掛着する際には上記と同様にして装飾部材本体１の表面側に突出するようにフック部材２を倒して使用するものである。また、フック部材２を使用しない場合は、フック部材２を上方に向かって回動することにより収納凹部２５内に収納し、装飾部材本体１の表面（収納凹部２５の底面）に沿ってほぼ鉛直に配置される状態にする。また、係止部４を係止凹部２２に弾性的に係止して装飾部材本体１に保持する。
【００２７】
この外壁装飾部材Ａではフック部材２の不使用時に収納凹部２５に収納して装飾部材本体１の表面からフック部材２が大きく突出しないようにすることができ、外壁の外観をより損なわないようにすることができる。
【００２８】
図３（ａ）（ｂ）に他の実施の形態を示す。ここでは、二種類の外壁装飾部材Ａが使用されている。一つの外壁装飾部材Ａは外壁５のコーナー部材（役物）１２として形成されるものであり、もう一つの外壁装飾部材Ａは外壁５のモール１３として形成されている。
【００２９】
コーナー部材１２は建物の外壁５のコーナー部分に上下に長く配設されるものであって、上記と同様に表面には凹凸模様１９が形成されている。また、装飾部材本体１は断面略Ｌ字状に形成されており、図３（ａ）に示すように、その表面には上記図２のものと同様の収納凹部２５が設けられている。また、フック部材２も上記図２のものと同様にして起倒自在に装飾部材本体１に取り付けられている。図３（ｂ）に示すように、モール１３は一対のコーナー部材１２、１２の間において外壁５に設けられている。モール１３の装飾部材本体１は平板状に形成されており、その表面に複数のフック部材２、２…が横方向に並べて起倒自在に取り付けられている。コーナー部材１２及びモール１３のその他の構成は図１に示す外壁装飾部材Ａと同様である。
【００３０】
上記のようなコーナー部材１２及びモール１３において、蔓系植物育成用のネットなどの被掛着物品３を掛着する場合は、上記と同様に、装飾部材本体１の表面側に突出するようにフック部材２を倒して被掛着物品３の上端を掛着する。この場合、コーナー部材１２のフック部材２及びモール１３のフック部材２はほぼ同じ高さに揃った状態となっている。そして、コーナー部材１２、１２の間においても被掛着物品３の上端をモール１３のフック部材２に掛着することができるため、コーナー部材１２、１２の間の距離が長い場合であっても、被掛着物品３の中間部分が垂れないようにすることができる。
【００３１】
尚、フック部材２は上記のように上下方向に回動して起倒自在に形成するだけでなく、左右方向に回動して起倒自在に形成してもよい。例えば、図３（ａ）に示すコーナー部材１２の場合ではフック部材２を凹凸模様１９の一つの凸部あるいは凹部に対応する形状（横長のブロックような形状）に形成し、このフック部材２を左右方向に回動して起倒自在に形成することができる。
【図面の簡単な説明】
【００３２】
【図１】本発明の実施の形態の一例を示し、（ａ）は正面図、（ｂ）は断面図である。
【図２】同上の他の実施の形態の一例を示し、（ａ）は正面図、（ｂ）は断面図である。
【図３】同上の他の実施の形態の一例を示し、（ａ）は一部の斜視図、（ｂ）は概略の正面図である。
【符号の説明】
【００３３】
Ａ  外壁装飾部材
１  装飾部材本体
２  フック部材
３  被掛着物品
４  係止部
５  外壁
【図１】
0005010400.tif 000002
【図２】
0005010400.tif 000003
【図３】
0005010400.tif 000004